(57)【特許請求の範囲】
【請求項１】
便器を含み、前記便器には上方に開口する空室が設けられ、前記空室の下側の内壁には排水孔が設けられ、前記便器の中には右方と上方とに開口する凹溝が形成され、前記凹溝の内部には便座と便ふたが回転可能に設けられ、前記便座の中には下部回転軸が固定的に連結され、前記下部回転軸の前後両端は前記凹溝の前後の内壁に回転可能に連結され、前記便ふたの内部には上部回転軸が固定的に連結され、前記上部回転軸の前後両端は前記凹溝の前後両側内壁に回転可能に連結され、前記上部回転軸と前記下部回転軸との間には隙間があり、前記便座に装着構造を装着することができ、また、前記便ふたが回転して便座を覆うときに前記装着構造に衝突することを防止することができ、前記便座には上下に貫通する取付孔が設けられ、前記装着構造は前記取付孔と前記空室との間に設けられ、
前記装着構造の内部には検査構造が設けられ、前記検査構造は検査のために尿の一部をサンプリングでき、
前記便器には貯水室が設けられ、前記便器の左端には水入り管が固定的に連結され、前記水入り管の内部には貫通する水入り通路が設けられ、前記水入り通路は前記貯水室と連通し、前記水入り通路を介して前記貯水室に水を注入することができ、前記貯水室の上部の内壁の中にはポンプが固定的に設けられ、前記ポンプは連通溝によって前記空室と連通し、
前記ポンプと前記便ふたとの間には洗浄構造が連結され、前記ポンプは前記洗浄構造を介して前記装着構造に水を流し、前記検査構造を洗浄することができることを特徴とする尿液で妊娠をチェックする便器用生育計画ツール。
【請求項２】
前記装着構造は、前記取付孔に設置可能なワッシャーを含み、前記ワッシャーの直径は前記取付孔の内径より大きく、したがって、前記ワッシャーは前記取付孔を介して前記便座と締まりばめ接続し、前記ワッシャーには上下に貫通する貫通孔が設けられ、前記ワッシャーの下端には検出ボックスが固定的に連結され、前記検出ボックスの中には上下に貫通するくびれ空間が設けられ、前記検査構造は前記検出ボックスの内部に設けられ、
前記ワッシャーの右端には作動ボタンが固定的に連結され、前記作動ボタンを押すと、前記検査構造を作動させることができ、妊娠していることを検出した時、前記便器に固定的に連結している指示灯が指示信号を送信することを特徴とする請求項１に記載の尿液で妊娠をチェックする便器用生育計画ツール。
【請求項３】
前記検査構造は前記くびれ空間の後側の内壁に設けられている歯車空間を含み、前記歯車空間には中間歯車が回転可能に設けられ、前記中間歯車にはモーター軸が固定的に連結され、前記歯車空間の後部内壁にはモーターが固定的に設けられ、前記モーター軸の後端は前記モーターと伝動可能に設けられ、
前記中間歯車の左端には左歯車が噛み合っており、前記左歯車の内部には左回転軸が固定的に連結され、前記くびれ空間の左側の内壁の中には検出空間が連通するように設けられ、前記検出空間の中には検出プローブが固定的に設けられ、前記検出プローブは尿を検出でき、
前記検出空間の下側内壁と前記くびれ空間との間には回流孔が連通するように設けられ、前記検出空間の右側の内壁には連通するバッフル溝が形成され、前記バッフル溝の内部にはバッフルが回転可能に設けられ、前記バッフルは前記左回転軸に固定的に設けられ、
前記中間歯車の右端には右歯車が噛み合っており、前記右歯車の内部には右回転軸が固定的に連結され、前記くびれ空間の右側の内壁には連通する回収溝が形成され、前記回収溝の中には回転板が回転可能に設けられ、前記回転板は前記右回転軸に固定的に連結され、
前記回転板の左端に緩衝漏斗が固定的に連結され、前記緩衝漏斗の内部には上下貫通するテーパ穴が設けられていることを特徴とする請求項２に記載の尿液で妊娠をチェックする便器用生育計画ツール。
【請求項４】
前記洗浄構造は、前記ポンプと前記便ふたとの間に固定的に連結されている接続水管を含み、前記接続水管の中には接続通路が設けられ、前記便ふたの中には下方に開口する貯蔵溝が形成され、前記貯蔵溝の中には噴射ヘッドが固定的に設けられ、前記噴射ヘッドは完全に前記貯蔵溝の中に貯蔵され、前記便ふたの下端面は突出していることを避け、前記噴射ヘッドには貫通する噴射口が設けられていることを特徴とする請求項１に記載の尿液で妊娠をチェックする便器用生育計画ツール。
【発明の詳細な説明】
【技術分野】
【０００１】
本願発明は生育計画ツールの技術分野を取り上げて、具体的には尿液で妊娠をチェックする便器用生育計画ツールである。
【背景技術】
【０００２】
現代社会では家族計画が提唱されており、普通の場合、避妊にコンドームや避妊薬などが使用されるが、これらの避妊薬は妊娠を完全に防ぐことはできないため、偶発的な妊娠の有無を確認することがよく必要とされ、病院で妊娠をチェックするのは面倒であり、通常は妊娠検査棒を使用して自分でチェックするが、妊娠検査棒は使い捨て製品なので、資源の浪費になり、しかも、妊娠テストを実行するために積極的に使用する必要があり、本願発明は、尿液で妊娠をチェックする便器用家族計画ツールを提供することにより、上記の技術問題を克服する。
【先行技術文献】
【特許文献】
【０００３】
【特許文献１】中国特許出願公開第１０４２０３１１７号明細書
【発明の概要】
【発明が解決しようとする課題】
【０００４】
技術問題：
病院で妊娠をチェックするのは面倒であり、妊娠検査棒を使用すると資源の浪費になり、しかも、妊娠テストを実行するために積極的に使用する必要がある。
【課題を解決するための手段】
【０００５】
上記の課題を解決するため、本願発明は以下の技術プランを採用する：尿液で妊娠をチェックする便器用生育計画ツールは、便器を含み、前記便器には上方に開口する空室が設けられ、前記空室の下側の内壁には排水孔が設けられ、前記便器の中には右方と上方とに開口する凹溝が形成され、前記凹溝の内部には便座と便ふたが回転可能に設けられ、前記便座の中には下部回転軸が固定的に連結され、前記下部回転軸の前後両端は前記凹溝の前後の内壁に回転可能に連結され、前記便ふたの内部には上部回転軸が固定的に連結され、前記上部回転軸の前後両端は前記凹溝の前後両側内壁に回転可能に連結され、前記上部回転軸と前記下部回転軸との間には隙間があり、前記便座に装着構造を装着することができ、また、前記便ふたが回転して便座を覆うときに前記装着構造に衝突することを防止することができ、前記便座には上下に貫通する取付孔が設けられ、前記装着構造は前記取付孔と前記空室との間に設けられ、前記装着構造の内部には検査構造が設けられ、前記検査構造は検査のために尿の一部をサンプリングでき、検査が不要な場合は尿を直接排出でき、前記便器には貯水室が設けられ、前記便器の左端には水入り管が固定的に連結され、前記水入り管の内部には貫通する水入り通路が設けられ、前記水入り通路は前記貯水室と連通し、前記水入り通路を介して前記貯水室に水を注入することができ、前記貯水室の上部の内壁の中にはポンプが固定的に設けられ、前記ポンプは連通溝によって前記空室と連通し、前記ポンプは前記貯水室から水を吸い、前記連通溝を介して前記空室に水を流して洗浄し、前記ポンプと前記便ふたとの間には洗浄構造が連結され、前記ポンプは前記洗浄構造を介して前記装着構造に水を流し、前記検査構造を洗浄することができ、それによって複数回で使用できる。
【０００６】
更の技術プラン、前記装着構造は、前記取付孔に設置可能なワッシャーを含み、前記ワッシャーの直径は前記取付孔の内径より大きく、したがって、前記ワッシャーは前記取付孔を介して前記便座と締まりばめ接続し、前記ワッシャーには上下に貫通する貫通孔が設けられ、前記ワッシャーの下端には検出ボックスが固定的に連結され、前記検出ボックスの中には上下に貫通するくびれ空間が設けられ、前記検査構造は前記検出ボックスの内部に設けられ、尿は前記貫通孔と前記くびれ空間とを通過し、前記排水孔から流出し、前記ワッシャーの右端には作動ボタンが固定的に連結され、前記作動ボタンを押すと、前記検査構造を作動させることができ、次に前記くびれ空間から検査のために尿をサンプリングすることができ、妊娠していることを検出した時、前記便器に固定的に連結している指示灯が指示信号を送信する。
【０００７】
優選の技術プランとして、前記検査構造は前記くびれ空間の後側の内壁に設けられている歯車空間を含み、前記歯車空間には中間歯車が回転可能に設けられ、前記中間歯車にはモーター軸が固定的に連結され、前記歯車空間の後部内壁にはモーターが固定的に設けられ、前記モーター軸の後端は前記モーターと伝動可能に設けられ、前記中間歯車の左端には左歯車が噛み合っており、前記左歯車の内部には左回転軸が固定的に連結され、前記くびれ空間の左側の内壁の中には検出空間が連通するように設けられ、前記検出空間の中には検出プローブが固定的に設けられ、前記検出プローブは尿を検出でき、前記検出空間の下側内壁と前記くびれ空間との間には回流孔が連通するように設けられ、前記検出空間の右側の内壁には連通するバッフル溝が形成され、前記バッフル溝の内部にはバッフルが回転可能に設けられ、前記バッフルは前記左回転軸に固定的に設けられ、前記バッフルは前記回流孔を閉じることができ、前記中間歯車の右端には右歯車が噛み合っており、前記右歯車の内部には右回転軸が固定的に連結され、前記くびれ空間の右側の内壁には連通する回収溝が形成され、前記回収溝の中には回転板が回転可能に設けられ、前記回転板は前記右回転軸に固定的に連結され、前記回転板の左端に緩衝漏斗が固定的に連結され、前記緩衝漏斗の内部には上下貫通するテーパ穴が設けられ、前記テーパ穴はテーパ型で尿の排出を緩衝することができ、これにより一部分の尿が前記検出空間の中に流れ込み、最初に、前記バッフルは前記回流孔の中に位置し、前記緩衝漏斗は前記回収溝の中に位置し、この時、前記くびれ空間は尿を正常に通過させることができ、前記作動ボタンを押し、前記モーターが起動され、前記モーター軸によって前記中間歯車を回転させ、前記左歯車と前記右歯車とを回転させ、前記左歯車は前記左回転軸を介して前記バッフルを駆動して回転させて前記回流孔を閉じ、前記右歯車は前記右回転軸を介して前記回転板を駆動して回転させることにより、前記緩衝漏斗を前記くびれ空間の内部まで回転させ、この時に尿が前記テーパ穴を通過すると、流速が低くなり、尿が前記緩衝漏斗の上側に蓄積し、このとき、尿の一部が前記検出空間に入り、前記検出プローブにより検出され、検出が終了すると、モーターが逆方向に起動され、前記バッフルと前記回転板を駆動して逆回転させて初期状態に戻らせ、前記検出空間の中の尿液は、前記回流孔を通して前記くびれ空間に戻り、前記排水孔から排出され、前記検出プローブが尿液検出によって妊娠を判明すると、前記指示灯は提示信号を送信する。
【０００８】
優選の技術プランとして、前記洗浄構造は、前記ポンプと前記便ふたとの間に固定的に連結されている接続水管を含み、前記接続水管の中には接続通路が設けられ、前記便ふたの中には下方に開口する貯蔵溝が形成され、前記貯蔵溝の中には噴射ヘッドが固定的に設けられ、前記噴射ヘッドは完全に前記貯蔵溝の中に貯蔵され、前記便ふたの下端面は突出していることを避け、前記噴射ヘッドには貫通する噴射口が設けられ、前記便ふたが前記ワッシャーを覆うと、前記ポンプが起動し、前記接続通路と前記噴射口により、前記貫通孔と前記くびれ空間とを洗い流して洗浄し、複数回で使用することができる。
【発明の効果】
【０００９】
本願発明は、操作が簡単で装着が便利であり、日常生活で頻繁に使用され、トイレに行くときに尿を通して直接妊娠検査を行うことができ、妊娠検査を行うために妊娠検査棒などのツールを使用する必要も、病院に行く必要もなくなり、多くの時間を節約し、対応する措置をタイムリーに実行できるようになり、大量な人力的な操作を必要とせずに、妊娠を検出し、自動的にクリーニングして複数回で使用でき、使い捨てツールの使用が少なくなり、資源を大量に節約できる。
【図面の簡単な説明】
【００１０】
下記に図１〜３をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１１】
【図１】図１は本願発明の尿液で妊娠をチェックする便器用生育計画ツールの全体構成模式図
【図２】図２は図１におけるＡ部の拡大構成模式図
【図３】図３は図２におけるＢ−Ｂ方向の構成模式図
【発明を実施するための形態】
【００１２】
ここでは図１〜３を参照し、本願発明について詳しく説明する。叙述の便利のため、以下に述べる方位についてこのように規定する：以下に述べる上下・左右・前後の方向は、図１自体の投影関係の上下・左右・前後の方向と一致する。
【００１３】
本願発明の尿液で妊娠をチェックする便器用生育計画ツールは便器１１を含み、前記便器１１には上方に開口する空室３２が設けられ、前記空室３２の下側の内壁には排水孔３４が設けられ、前記便器１１の中には右方と上方とに開口する凹溝１９が形成され、前記凹溝１９の内部には便座１７と便ふた２４が回転可能に設けられ、前記便座１７の中には下部回転軸１６が固定的に連結され、前記下部回転軸１６の前後両端は前記凹溝１９の前後の内壁に回転可能に連結され、前記便ふた２４の内部には上部回転軸２５が固定的に連結され、前記上部回転軸２５の前後両端は前記凹溝１９の前後両側内壁に回転可能に連結され、前記上部回転軸２５と前記下部回転軸１６との間には隙間があり、前記便座１７に装着構造１００を装着することができ、また、前記便ふた２４が回転して便座１７を覆うときに前記装着構造１００に衝突することを防止することができ、前記便座１７には上下に貫通する取付孔２９が設けられ、前記装着構造１００は前記取付孔２９と前記空室３２との間に設けられ、前記装着構造１００の内部には検査構造１０１が設けられ、前記検査構造１０１は検査のために尿の一部をサンプリングでき、検査が不要な場合は尿を直接排出でき、前記便器１１には貯水室１２が設けられ、前記便器１１の左端には水入り管１４が固定的に連結され、前記水入り管１４の内部には貫通する水入り通路１５が設けられ、前記水入り通路１５は前記貯水室１２と連通し、前記水入り通路１５を介して前記貯水室１２に水を注入することができ、前記貯水室１２の上部の内壁の中にはポンプ１３が固定的に設けられ、前記ポンプ１３は連通溝５２によって前記空室３２と連通し、前記ポンプ１３は前記貯水室１２から水を吸い、前記連通溝５２を介して前記空室３２に水を流して洗浄し、前記ポンプ１３と前記便ふた２４との間には洗浄構造１０２が連結され、前記ポンプ１３は前記洗浄構造１０２を介して前記装着構造１００に水を流し、前記検査構造１０１を洗浄することができ、それによって複数回で使用できる。
【００１４】
実施例により、ここでは前記装着構造１００を詳細に説明し、前記装着構造１００は、前記取付孔２９に設置可能なワッシャー２７を含み、前記ワッシャー２７の直径は前記取付孔２９の内径より大きく、したがって、前記ワッシャー２７は前記取付孔２９を介して前記便座１７と締まりばめ接続し、前記ワッシャー２７には上下に貫通する貫通孔２６が設けられ、前記ワッシャー２７の下端には検出ボックス３３が固定的に連結され、前記検出ボックス３３の中には上下に貫通するくびれ空間３０が設けられ、前記検査構造１０１は前記検出ボックス３３の内部に設けられ、尿は前記貫通孔２６と前記くびれ空間３０とを通過し、前記排水孔３４から流出し、前記ワッシャー２７の右端には作動ボタン２８が固定的に連結され、前記作動ボタン２８を押すと、前記検査構造１０１を作動させることができ、次に前記くびれ空間３０から検査のために尿をサンプリングすることができ、妊娠していることを検出した時、前記便器１１に固定的に連結している指示灯３１が指示信号を送信する。  
【００１５】
実施例により、ここでは前記検査構造１０１を詳細に説明し、前記検査構造１０１は前記くびれ空間３０の後側の内壁に設けられている歯車空間５０を含み、前記歯車空間５０には中間歯車４８が回転可能に設けられ、前記中間歯車４８にはモーター軸４６が固定的に連結され、前記歯車空間５０の後部内壁にはモーター４９が固定的に設けられ、前記モーター軸４６の後端は前記モーター４９と伝動可能に設けられ、前記中間歯車４８の左端には左歯車４７が噛み合っており、前記左歯車４７の内部には左回転軸３９が固定的に連結され、前記くびれ空間３０の左側の内壁の中には検出空間３５が連通するように設けられ、前記検出空間３５の中には検出プローブ３６が固定的に設けられ、前記検出プローブ３６は尿を検出でき、前記検出空間３５の下側内壁と前記くびれ空間３０との間には回流孔４０が連通するように設けられ、前記検出空間３５の右側の内壁には連通するバッフル溝３７が形成され、前記バッフル溝３７の内部にはバッフル３８が回転可能に設けられ、前記バッフル３８は前記左回転軸３９に固定的に設けられ、前記バッフル３８は前記回流孔４０を閉じることができ、前記中間歯車４８の右端には右歯車５１が噛み合っており、前記右歯車５１の内部には右回転軸４２が固定的に連結され、前記くびれ空間３０の右側の内壁には連通する回収溝４１が形成され、前記回収溝４１の中には回転板４３が回転可能に設けられ、前記回転板４３は前記右回転軸４２に固定的に連結され、前記回転板４３の左端に緩衝漏斗４４が固定的に連結され、前記緩衝漏斗４４の内部には上下貫通するテーパ穴４５が設けられ、前記テーパ穴４５はテーパ型で尿の排出を緩衝することができ、これにより一部分の尿が前記検出空間３５の中に流れ込み、最初に、前記バッフル３８は前記回流孔４０の中に位置し、前記緩衝漏斗４４は前記回収溝４１の中に位置し、この時、前記くびれ空間３０は尿を正常に通過させることができ、前記作動ボタン２８を押し、前記モーター４９が起動され、前記モーター軸４６によって前記中間歯車４８を回転させ、前記左歯車４７と前記右歯車５１とを回転させ、前記左歯車４７は前記左回転軸３９を介して前記バッフル３８を駆動して回転させて前記回流孔４０を閉じ、前記右歯車５１は前記右回転軸４２を介して前記回転板４３を駆動して回転させることにより、前記緩衝漏斗４４を前記くびれ空間３０の内部まで回転させ、この時に尿が前記テーパ穴４５を通過すると、流速が低くなり、尿が前記緩衝漏斗４４の上側に蓄積し、このとき、尿の一部が前記検出空間３５に入り、前記検出プローブ３６により検出され、検出が終了すると、モーター４９が逆方向に起動され、前記バッフル３８と前記回転板４３を駆動して逆回転させて初期状態に戻らせ、前記検出空間３５の中の尿液は、前記回流孔４０を通して前記くびれ空間３０に戻り、前記排水孔３４から排出され、前記検出プローブ３６が尿液検出によって妊娠を判明すると、前記指示灯３１は提示信号を送信する。
【００１６】
実施例により、ここでは前記洗浄構造１０２を詳細に説明し、前記洗浄構造１０２は、前記ポンプ１３と前記便ふた２４との間に固定的に連結されている接続水管１８を含み、前記接続水管１８の中には接続通路２０が設けられ、前記便ふた２４の中には下方に開口する貯蔵溝２３が形成され、前記貯蔵溝２３の中には噴射ヘッド２２が固定的に設けられ、前記噴射ヘッド２２は完全に前記貯蔵溝２３の中に貯蔵され、前記便ふた２４の下端面は突出していることを避け、前記噴射ヘッド２２には貫通する噴射口２１が設けられ、前記便ふた２４が前記ワッシャー２７を覆うと、前記ポンプ１３が起動し、前記接続通路２０と前記噴射口２１により、前記貫通孔２６と前記くびれ空間３０とを洗い流して洗浄し、複数回で使用することができる。
【００１７】
ここでは図１〜３を参照し、尿液で妊娠をチェックする便器用生育計画ツールの使用手順を詳細に説明する。
【００１８】
初期状態では、ワッシャー２７と検出ボックス３３とは便座１７に装着されていなく、このとき、便ふた２４は便座１７を覆い、バッフル３８はバッフル溝３７の内部に位置し、緩衝漏斗４４は回収溝４１の内部に位置する。
【００１９】
使用する時、便ふた２４を回して垂直に保ち、このとき、ワッシャー２７を取付孔２９に嵌め込み、検出ボックス３３は空室３２に位置し、男性が便器に行く時には、便座１７を持ち上げ、ワッシャー２７と検出ボックス３３とを回転させるだけで済み、女性が便器に行く時には、便座１７を持ち上げる必要がなく、このとき、尿液の検出をしなければ、作動ボタン２８を押す必要はなく、このとき、尿はくびれ空間３０と排水孔３４とによって直接排出することができ、尿を検出する必要がある場合は、作動ボタン２８を押し、モーター４９が起動され、モーター軸４６によって中間歯車４８を回転させ、左歯車４７と右歯車５１とを回転させ、左歯車４７は左回転軸３９を介してバッフル３８を駆動して回転させて回流孔４０を閉じ、右歯車５１は右回転軸４２を介して回転板４３を駆動して回転させることにより、緩衝漏斗４４をくびれ空間３０の内部まで回転させ、この時に尿がテーパ穴４５を通過すると、流速が低くなり、尿が緩衝漏斗４４の上側に蓄積し、このとき、尿の一部が検出空間３５に入り、検出プローブ３６により検出され、検出が終了すると、モーター４９が逆方向に起動され、バッフル３８と回転板４３を駆動して逆回転させて初期状態に戻らせ、検出空間３５の中の尿液は、回流孔４０を通してくびれ空間３０に戻り、排水孔３４から排出され、検出プローブ３６が尿液検出によって妊娠を判明すると、指示灯３１は提示信号を送信する。
【００２０】
便ふた２４がワッシャー２７を覆うと、ポンプ１３が起動し、貯水室１２から水を吸い、連通溝５２を介して空室３２に水を流して洗浄し、接続通路２０と噴射口２１により、貫通孔２６とくびれ空間３０とを洗い流して洗浄し、複数回で使用することができる。
【００２１】
上記方式により、本分野の当業者は本願発明の範囲内に作動パターンにより各種な変化を実行できる。
【要約】
【課題】本願発明は尿液で妊娠をチェックする便器用生育計画ツールを開示した。
【解決手段】
便器を含み、前記便器には上方に開口する空室が設けられ、前記空室の下側の内壁には排水孔が設けられ、前記便器の中には右方と上方とに開口する凹溝が形成され、前記凹溝の内部には便座と便ふたが回転可能に設けられ、操作が簡単で装着が便利であり、日常生活で頻繁に使用され、トイレに行くときに尿を通して直接妊娠検査を行うことができ、妊娠検査を行うために妊娠検査棒などのツールを使用する必要も、病院に行く必要もなくなり、多くの時間を節約し、対応する措置をタイムリーに実行できるようになり、大量な人力的な操作を必要とせずに、妊娠を検出し、自動的にクリーニングして複数回で使用でき、使い捨てツールの使用が少なくなり、資源を大量に節約できる。
【選択図】図１【図１】
0006810867.tif 000002
【図２】
0006810867.tif 000003
【図３】
0006810867.tif 000004